(57)【特許請求の範囲】
【請求項１】
天板の後部にダクト用の間隔を設けて取り付けられた後縁枠材と、この後縁枠材の前面部分を除く外面を被覆するカバー材と、後縁枠材の前面部分に装着され、カバー材の上部前面に係合してカバー材の浮き上がりを防止する浮き上がり防止具とを備えていることを特徴とする天板におけるダクト装置。
【請求項２】
後縁枠材に対し、浮き上がり防止具が前後反転して装着可能となっており、それぞれの反転装着時に、カバー材の上部前面に係合する係合片を浮き上がり防止具の対向部位に設けたことを特徴とする請求項１記載の天板におけるダクト装置。
【請求項３】
天板後部及びカバー材に掛け渡されてダクトを覆うダクト塞ぎ材を備え、このダクト塞ぎ材に係合してダクト塞ぎ材の浮き上がりを防止する係合リップ部を、浮き上がり防止具に突設したことを特徴とする請求項１又は２記載の天板におけるダクト装置。
【請求項４】
構造が異なる２以上のダクト塞ぎ材が装着可能となっており、それぞれのダクト塞ぎ材の後端部に係合する係止片を、カバー材の上部前面に突設したことを特徴とする請求項１〜３のいずれかに記載の天板におけるダクト装置。
【請求項５】
カバー材の係止片は、ひとつのダクト塞ぎ材の後端部を支承する受け面となるとともに、他のダクト塞ぎ材の後端部が係合して、他のダクト塞ぎ材の浮き上がりを防止する押え面となっていることを特徴とする請求項４記載の天板におけるダクト装置。
【発明の詳細な説明】
【０００１】
【発明の属する技術分野】
本発明は、コード配線やボード取り付け等のため、机の天板後部に形成されるダクトの構造に関し、特にダクトを構成する部材の浮き上がりを防止したダクト構造に関する。
【０００２】
【従来の技術】
机の天板後部に設けられるダクトは、後縁枠材を連結材によって天板の後部に間隔を有して取り付けることによって形成されており、この後縁枠材の外面に対しては、化粧材によって作製されたカバー材を被せることによって、その外観の向上が図られている。また、天板後部とカバー材との間には、ダクトカバー等のダクト覆い材を装着することによって、ダクト内の配線を隠蔽している。
【０００３】
従来のダクト装置においては、カバー材は、カバー材自体が有する弾性を利用して、後縁枠材の外面に嵌合させることによって取付けられている。
【０００４】
【発明が解決しようとする課題】
しかし、従来のダクト構造には、次のような問題点がある。
(ａ) 後縁枠材へのカバー材の装着が、カバー材の弾性だけによってなされているため、カバー材が長期間の間に変形したり、僅かな外力によって変形し易くなり、この変形によりカバー材が後縁枠材から剥離して、上方に浮き上がるおそれがある。
【０００５】
(ｂ) ダクト塞ぎ材を用いる場合、ダクト塞ぎ材をカバー材に係合させて装着するため、ダクト塞ぎ材を外す際に、カバー材が同時に外れて浮き上がり易く、ダクト塞ぎ材の取り外しがしにくい。
【０００６】
(ｃ) ダクト塞ぎ材は、カバー材に対して単純に係合しているため、カバー材から浮き上がり易く、この浮き上がりによって、ダクトを隠蔽することができなくなる。
【０００７】
本発明は、従来のダクト構造が有する上述のような問題点に鑑み、カバー材やダクト塞ぎ材等のダクトを構成する部材の浮き上がりを確実に防止した、天板におけるダクト装置を提供することを目的としている。
【０００８】
【課題を解決するための手段】
本発明によると、上記課題は次にようにして解決される。
(１) 天板の後部にダクト用の間隔を設けて取り付けられた後縁枠材と、この後縁枠材の前面部分を除く外面を被覆するカバー材と、後縁枠材の前面部分に装着され、カバー材の上部前面に係合してカバー材の浮き上がりを防止する浮き上がり防止具とを備える。
【０００９】
(２) 上記(１)項において、後縁枠材に対し、浮き上がり防止具が前後反転して装着可能となっており、それぞれの反転装着時に、カバー材の上部前面に係合する係合片を浮き上がり防止具の対向部位に設ける。
【００１０】
(３) 上記(１)項又は(２)項において、天板後部及びカバー材に掛け渡されてダクトを覆うダクト塞ぎ材を備え、このダクト塞ぎ材に係合してダクト塞ぎ材の浮き上がりを防止する係合リップ部を、浮き上がり防止具に突設する。
【００１１】
(４) 上記(１)〜(３)項のいずれかにおいて、構造が異なる２以上のダクト塞ぎ材が装着可能となっており、それぞれのダクト塞ぎ材の後端部に係合する係止片を、カバー材の上部前面に突設する。
【００１２】
(５) 上記(４)項において、カバー材の係止片は、ひとつのダクト塞ぎ材の後端部を支承する受け面となるとともに、他のダクト塞ぎ材の後端部が係合して、他のダクト塞ぎ材の浮き上がりを防止する押え面とする。
【００１３】
【発明の実施の形態】
図１〜図４は、本発明の一実施形態を示すもので、机の天板(１)の後部には後縁枠材(２)が取り付けられ、この後縁枠材(２)に、後方からカバー材(３)を被せうるようになっている。
【００１４】
(４)は、カバー材(３)を浮き上がり防止状態で取り付けるための浮き上がり防止具であり、その詳細は後述する。
【００１５】
後縁枠材(２)は、前向Ｕ字形断面をなす枠本体(８)と、前向コ字形に成形され、枠本体(８)の前面から嵌合して固着されたブラケット(９)とからなり、このブラケット(９)は、天板(１)の後端部における左右方向に適宜間隔で装着された連結材(５)の後端に、止めねじ(６)をもって止着されている。
【００１６】
この連結材(５)により、後縁枠材(２)は天板(１)と間隔を有しており、天板(１)の後縁と後縁枠材(２)との間の空間が、コード(図示省略)等を配線するためのダクト(７)となっている。
【００１７】
前記浮き上がり防止具(４)は、後縁枠材(２)の前面に設けた前記ブラケット(９)に装着されている。この装着を行うため、ブラケット(９)の底片には、一部を切り起こした切り起こしフック(10)が、左右方向に間隔をあけ形成され、かつ切り起こしフック(10)形成部分と対応するブラケット(９)の後片には、図２に示すように、浮き上がり防止具(４)が部分的に貫通する貫通窓(11)が形成されている。
【００１８】
浮き上がり防止具(４)は、図１及び図２に示すように、側面視中空方形断面形のブロック部(12)の上片を前後方向に延設してなり、この延設部(13)の両端は、立ち上がった後、互いに対向する方向に水平に屈曲されて、第１の係合片(14)及び第２の係合片(15)を形成したものである。
【００１９】
両係合片(14)(15)は、ブロック部(12)の中心線に対して対称位置にあり、それぞれ、カバー材(３)の上片の前縁に形成されたフック片(17)と係合しうるようになっている。
【００２０】
前記第１の係合片(14)には、同係合片(14)と反対方向に向かって水平に延びる係合リップ部(16)が連設されている。
【００２１】
前記ブロック部(12)の底面には、係合孔(18)が設けられ、この係合孔(18)に、後縁枠材(２)の切り起こしフック(10)を係合させることにすることによって、後縁枠材(２)に浮き上がり防止具(４)が固定されるようになっている。
【００２２】
カバー材(３)は、前面が開口する前向Ｕ字形の化粧材からなり、後縁枠材(２)の後側から後縁枠材(２)に被せられ、これにより、前面部分を除く後縁枠材(２)の外面の全体がカバー材(３)により被覆されて、後縁枠材(２)の露出部はなくなり、外観が向上されている。
【００２３】
カバー材(３)の上部前面は、左右方向に沿って、前向コ字形に形成され、その下片は、浮き上がり防止具(４)の第１の係合片(14)と係合しうるフック片(17)となっており、同じく上片は、フック片(17)よりも長い係止片(19)となっている。
【００２４】
この実施形態の浮き上がり防止具(４)は、後縁枠材(２)に対して、図２に示すように、あるいは図４に示すように反転して装着される。
【００２５】
図２の態様では、浮き上がり防止具(４)は、第２の係合片(15)側から後縁枠材(２)の前面部分に挿入され、この挿入によって、第２の係合片(15)は、ブラケット(９)の貫通窓(11)を貫通するとともに、ブラケット(９)の切り起こしフック(10)が浮き上がり防止具(４)の係合孔(18)と係合して、その装着がなされる。
【００２６】
この状態では、浮き上がり防止具(４)の第１の係合片(14)及び係合リップ部(16)が後縁枠材(２)の前方に抜き出ており、この状態において、カバー材(３)を後縁枠材(２)の後側から嵌合する。
【００２７】
カバー材(３)の上部前面に形成されたフック片(17)が浮き上がり防止具(４)の第１の係合片(14)と係合し、カバー材(３)は強固に固定されて、その浮き上がりが防止される。
【００２８】
図２の態様では、第１のダクト覆い材(20)を、天板(１)の後部及びカバー材(３)に掛け渡すことによって、ダクト(７)の隠蔽を行っている。
【００２９】
図３は、第１のダクト覆い材(20)を示し、前端側(左端側)の端部が、天板(１)に直接或いは間接的に係合して連結される連結部(21)となっており、後端側の端部が、カバー材(３)の係止片(19)に上面から当接する当接部(22)となっており、さらに、これらの間には、下方に垂下する仕切部(23)(23)が複数形成され、この仕切部(23)(23)によって仕切られた空間部分に、コードが通されるようになっている。
【００３０】
このような構造では、図２に示すように、第１のダクト覆い材(20)の後端部の当接部(22)が、カバー材(３)の係止片(19)に上面から当接しており、これにより、係止片(19)は第１のダクト覆い材(20)を支承する受け面となり、この支承によって、ダクト覆い材(20)の沈み込みは防止されている。
【００３１】
さらに、第１のダクト覆い材(20)の後端部分には、後側に位置する仕切片(23)の下端部を鋭角状に上方に屈曲させることによって、接触片(24)が形成されており、この接触片(24)は、浮き上がり防止具(４)の係合リップ部(16)に下面から当接している。この当接によって、第１のダクト覆い材(20)は拘束されるため、第１のダクト覆い材(20)が不用意に浮き上がることがない。
【００３２】
図４は、第１のダクト覆い材(20)と構造が異なる第２のダクト覆い材(25)を使用した態様を示す。
第２のダクト覆い材(25)は、第１のダクト覆い材(20)と同様に、天板(１)の後部及びカバー材(３)に掛け渡されることによって、ダクト(７)を隠蔽している。
【００３３】
第２のダクト覆い材(25)の装着部位に位置する浮き上がり防止具(４)は、図２の状態に対して前後反転されている。そのため、第１の係合片(14)及び係合リップ部(16)は、カバー材(３)の貫通窓(11)を貫通して、カバー材(３)内に収納される一方、第２の係合片(15)は、カバー材(３)の外方に位置し、この第２の係合片(15)にカバー材(３)のフック片(17)が係合して、図２と同様に、カバー材(３)の浮き上がりは防止されている。
【００３４】
このように、浮き上がり防止具(４)は、前後反転しても、カバー材(３)に係合して浮き上がりを防止するため、後縁枠材(２)に対する装着方向が異なっても、カバー材(３)の浮き上がりを確実に防止できる。
【００３５】
第２のダクト覆い材(25)の中央部にはソケット(26)が取り付けられており、このソケット(26)に、電子機器からのプラグ(27)が装着されて電気的な接続を行うようになっている。
【００３６】
第２のダクト覆い材(25)の前端部の連結部(28)は、天板(１)に直接に或いは間接的に取り付けられる一方、後端部には当接部(29)が形成され、この当接部(29)は、カバー材(３)の係止片(19)に下方から当接している。
【００３７】
このような当接によって、カバー材(３)の係止片(19)は、第２のダクト覆い材(25)の浮き上がりを防止する押え面となっており、プラグ(27)を取り外す際の引き抜き力が第２のダクト覆い材(25)に作用しても、第２のダクト覆い材(25)が浮き上がることがない。
【００３８】
【発明の効果】
本発明によると、次のような効果を奏することができる。
(ａ)請求項１の発明によると、後縁枠材に装着した浮き上がり防止具が、後縁枠材を被覆するカバー材の上部前面に係合するため、カバー材の浮き上がりは防止される。
【００３９】
(ｂ)請求項２の発明によると、浮き上がり防止具は前後反転可能となっており、この反転時においても、カバー材に係合するため、カバー材の浮き上がりを確実に防止できる。
【００４０】
(ｃ)請求項３の発明によると、浮き上がり防止具に形成した係合リップ部がダクト覆い材に係合するため、ダクト覆い材の浮き上がりを防止できる。
【００４１】
(ｄ)請求項４の発明によると、構造が異なる複数のダクト覆い材にカバー材の係止片が係合するため、複数のダクト覆い材の取り付けが可能となる。
【００４２】
(ｅ)請求項５の発明によると、ひとつのダクト覆い材に対しては、その沈み込みを防止できる一方、他のダクト覆い材に対しては、浮き上がりを防止できる。
【図面の簡単な説明】
【図１】  本発明の一実施形態の分解斜視図である。
【図２】  一のダクト覆い材の装着状態を示す縦断側面図である。
【図３】  一のダクト覆い材の縦断側面図である。
【図４】  他のダクト覆い材の装着状態を示す縦断側面図である。
【符号の説明】
(１)天板
(２)後縁枠材
(３)カバー材
(４)浮き上がり防止具
(５)連結材
(６)止めねじ
(７)ダクト
(８)枠本体
(９)ブラケット
(10)切り起こしフック
(11)貫通窓
(12)ブロック部
(13)延設部
(14)第１の係合片
(15)第２の係合片
(16)係合リップ部
(17)フック片
(18)係合孔
(19)係止片
(20)第１のダクト覆い材
(21)連結部
(22)当接部
(23)仕切部
(24)接触片
(25)第２のダクト覆い材
(26)ソケット
(27)プラグ
(28)連結部
(29)当接部
【図１】
0003640036.tif 000002
【図２】
0003640036.tif 000003
【図３】
0003640036.tif 000004
【図４】
0003640036.tif 000005